(57)【要約】【課題】オーブン庫内を設定温度に到達させ、且つ部品温度の上昇を抑えることが可能で、調理性能を安定化させる加熱調理器を提供する。【解決手段】マイコン５１は、オーブン動作時に熱風ヒータ２３を制御して、オーブン庫内の被加熱物を加熱調理する。残時間補正手段６１は、オーブン動作が開始してから所定時間後に電圧値と電流値をそれぞれ取得し、その取得した電流値と電圧値から計算される動作時間により、オーブン動作の残り時間を補正算出する。これにより、熱風ヒータ２３への入力電圧や熱風ヒータ２３の入力電力の変動に拘らず、オーブン動作時における熱風ヒータ２３への入力電力量が一定となり、調理性能が安定化する。【選択図】図７
2015203543.tif 000002
【特許請求の範囲】
【請求項１】
オーブン動作時に加熱手段を制御してオーブン庫内の被加熱物を加熱調理する加熱調理器において、
前記オーブン動作が開始してから所定時間後に電圧値と電流値を取得し、その取得した値から計算される動作時間により、前記オーブン動作の残り時間を補正する残時間補正手段を備えたことを特徴とする加熱調理器。
【請求項２】
オーブン動作時に加熱手段を制御してオーブン庫内の被加熱物を加熱調理する加熱調理器において、
前記オーブン動作が開始してから所定時間後の電圧値を取得し、その取得した値から計算される動作時間により、前記オーブン動作の残り時間を補正する残時間補正手段を備えたことを特徴とする加熱調理器。
【請求項３】
オーブン動作時に加熱手段を制御してオーブン庫内の被加熱物を加熱調理する加熱調理器において、
前記オーブン動作が開始してから所定時間後の電流値を取得し、その取得した値から計算される動作時間により、前記オーブン動作の残り時間を補正する残時間補正手段を備えたことを特徴とする加熱調理器。
【請求項４】
前記取得した値から計算される値が閾値を超える場合にのみ、前記動作時間を段階的に調整するように、前記残時間補正手段を構成したことを特徴とする請求項１〜３の何れか一つに記載の加熱調理器。
【請求項５】
前記取得した値から計算される値が閾値を超える場合に、前記動作時間を一定とし、前記取得した値から計算される値が前記閾値内の場合に、前記取得した値から計算される前記動作時間により、前記オーブン動作の残り時間を補正するように、前記残時間補正手段を構成したことを特徴とする請求項１〜３の何れか一つに記載の加熱調理器。
【請求項６】
オーブン庫内に角皿を出し入れ可能に設けた加熱調理器において、
前記角皿にスペーサを備えたことを特徴とする加熱調理器。
【請求項７】
前記スペーサを前記角皿の一側と他側に備えたことを特徴とする請求項６記載の加熱調理器。
【請求項８】
前記スペーサを前記角皿の隅部に備えたことを特徴とする請求項６または７記載の加熱調理器。
【請求項９】
前記スペーサが樹脂製であることを特徴とする請求項６〜８の何れか一つに記載の加熱調理器。
【発明の詳細な説明】
【技術分野】
【０００１】
本発明は、オーブン庫内の被加熱物を加熱調理するオーブンレンジなどの加熱調理器に関する。
【背景技術】
【０００２】
従来、例えば特許文献１には、加熱手段である熱風ヒータを通電すると共に、熱風ファンを回転させて、オーブン庫内に収容した被加熱物をオーブン調理する加熱調理器が開示されている。この場合、オーブン庫内を目標温度に所定時間維持させるために、オーブン動作時間を一定にして、熱風ヒータや熱風ファンに対する駆動制御が行われている。
【０００３】
また、加熱調理器でオーブン調理を実施する場合、被加熱物を載せるのに角皿を使用するものが多く、オーブン庫に対しての角皿の出し入れは頻繁に行われる。この角皿は、加熱調理器のオーブン庫内をするように挿入される構成となっており、またオーブン庫内やオーブン調理に角皿を使用する関係で、角皿の表面には汚れ付着防止のためのコーティングが被覆形成されることが多く、擦れには非常に弱い構造となっている。
【０００４】
そのため、製品を使用し続けていくと、角皿の出し入れに伴う角皿との摩擦で、オーブン庫内や角皿に傷が付きやすくなり、コーティングがとれて外観性が低下する問題が発生する。そこで特許文献２に示すように、コーティングで被覆される角皿の基材の板厚を薄くして、角皿全体の軽量化を図ることで、摩擦係数を低下させて傷付きを軽減する方法が提案されている。
【先行技術文献】
【特許文献】
【０００５】
【特許文献１】特開２０１１−２７２６９号公報
【特許文献２】特開２００５−１７２２６３号公報
【発明の概要】
【発明が解決しようとする課題】
【０００６】
上述した加熱調理器では、電源電圧のばらつき（例えば、交流１０１Ｖ±５Ｖ）や、熱風ヒータの抵抗値のばらつき（±４％）により、熱風ヒータの標準的な入力電力値である電力センター値に対して、オーブン動作時における実際の入力電力値が変動する。具体的には、熱風ヒータの電力センター値が１４００Ｗ（交流１００Ｖ時）であるとき、熱風ヒータの実際の入力電力値は、最小値が１２３８Ｗで、最大値が１６３５Ｗとなり、４００Ｗ近い差が出る可能性がある。しかし、特許文献１に開示されるように、オーブン動作時間は一定であるため、次のような問題が発生する可能性がある。
【０００７】
熱風ヒータへの入力電圧や、熱風ヒータの入力電力が高めの場合に、通常のオーブン動作時間では温度が上昇しすぎてしまい、加熱調理器を構成する部品温度の上昇が問題となる。そのため、より耐熱性の高い高価な部品の採用や、断熱対策をしなければならず、コストアップの要因を招く。
【０００８】
また、熱風ヒータへの入力電圧や、熱風ヒータの入力電力が低めの場合に、通常のオーブン動作時間ではオーブン庫内を既定の目標温度に到達することができず、調理性能が満足できない。
【０００９】
別な問題として、オーブン調理は高温で長時間実施するため、強度や変形を考慮した場合には、角皿の板厚を薄くすることで、オーブン庫内と角皿の擦り傷を軽減させることは難しい。
【００１０】
そこで本発明は上記問題点に鑑み、熱風ヒータへの入力電圧や、熱風ヒータの入力電力がばらついても、オーブン庫内を設定温度に到達させ、且つ部品温度の上昇を抑えることが可能で、調理性能を安定化させることができる加熱調理器を提供することを目的とする。
【００１１】
また、本発明の別な目的は、角皿として強度や変形を考慮した必要な板厚を確保しつつ、角皿とオーブン庫内の擦り傷を軽減することが可能な加熱調理器を提供することにある。
【課題を解決するための手段】
【００１２】
請求項１の発明は、オーブン動作時に加熱手段を制御してオーブン庫内の被加熱物を加熱調理する加熱調理器において、前記オーブン動作が開始してから所定時間後に電圧値と電流値を取得し、その取得した値から計算される動作時間により、前記オーブン動作の残り時間を補正する残時間補正手段を備えている。
【００１３】
請求項２の発明は、オーブン動作時に加熱手段を制御してオーブン庫内の被加熱物を加熱調理する加熱調理器において、前記オーブン動作が開始してから所定時間後の電圧値を取得し、その取得した値から計算される動作時間により、前記オーブン動作の残り時間を補正する残時間補正手段を備えている。
【００１４】
請求項３の発明は、オーブン動作時に加熱手段を制御してオーブン庫内の被加熱物を加熱調理する加熱調理器において、前記オーブン動作が開始してから所定時間後の電流値を取得し、その取得した値から計算される動作時間により、前記オーブン動作の残り時間を補正する残時間補正手段を備えている。
【００１５】
請求項４の発明は、前記取得した値から計算される値が閾値を超える場合にのみ、前記動作時間を段階的に調整するように、前記残時間補正手段を構成している。
【００１６】
請求項５の発明は、前記取得した値から計算される値が閾値を超える場合に、前記動作時間を一定とし、前記取得した値から計算される値が前記閾値内の場合に、前記取得した値から計算される前記動作時間により、前記オーブン動作の残り時間を補正するように、前記残時間補正手段を構成している。
【００１７】
請求項６の発明は、オーブン庫内に角皿を出し入れ可能に設けた加熱調理器において、前記角皿にスペーサを備えて構成される。
【００１８】
請求項７の発明は、前記スペーサを前記角皿の一側と他側に備えたものである。
【００１９】
請求項８の発明は、前記スペーサを前記角皿の隅部に備えたものである。
【００２０】
請求項９の発明は、前記スペーサが樹脂製であることを特徴とする。
【発明の効果】
【００２１】
請求項１の発明によれば、オーブン動作が開始してから所定時間後に取得した電圧値と電流値から、加熱手段への入力電圧や加熱手段の入力電力が低めの場合は、オーブン動作の残り時間を延長するように残時間補正手段が調整することで、オーブン庫内を目標温度に到達させることが可能になる。また逆に、加熱手段への入力電圧や加熱手段の入力電力が高めの場合は、オーブン動作の残り時間を短縮するように残時間補正手段が調整することで、部品温度の上昇を抑えることが可能になる。さらに、オーブン動作時における加熱手段への入力電力量が一定となり、調理性能を安定化させることができる。
【００２２】
請求項２の発明によれば、電流値の取得が構成上困難な場合でも、オーブン動作が開始してから所定時間後に取得した電圧値から、加熱手段への入力電圧が低めの場合は、オーブン動作の残り時間を延長するように残時間補正手段が調整することで、オーブン庫内を設定温度に到達させることが可能になる。また逆に、加熱手段への入力電圧が高めの場合は、オーブン動作の残り時間を短縮するように残時間補正手段が調整することで、部品温度の上昇を抑えることが可能になる。さらに、オーブン動作時における加熱手段への入力電力量が一定となり、調理性能を安定化させることができる。
【００２３】
請求項３の発明によれば、電圧値の取得が構成上困難な場合でも、オーブン動作が開始してから所定時間後に取得した電流値から、加熱手段の入力電力が低めの場合は、オーブン動作の残り時間を延長するように残時間補正手段が調整することで、オーブン庫内を設定温度に到達させることが可能になる。また逆に、加熱手段の入力電力が高めの場合は、オーブン動作の残り時間を短縮するように残時間補正手段が調整することで、部品温度の上昇を抑えることが可能になる。さらに、オーブン動作時における加熱手段への入力電力量が一定となり、調理性能を安定化させることができる。
【００２４】
請求項４の発明によれば、取得した電圧値や電流値から、例えば加熱手段の入力電力値などを計算し、その値が閾値を超えて、明らかにセンター値と比較して高い場合や低い場合にのみ、動作時間を段階的に調整して、オーブン動作の残り時間を適切に補正することが可能になる。
【００２５】
請求項５の発明によれば、取得した電圧値や電流値から、例えば加熱手段の入力電力値などを計算し、その値が閾値を超えた場合には、電圧異常や、電流異常や、加熱手段の異常が発生したと判断して、動作時間を一定の値に制限することで、残時間補正手段を安全装置として動作させることも可能になる。
【００２６】
請求項６の発明によれば、角皿をオーブン庫内に出し入れする際に、スペーサがオーブン庫内に接触することで、角皿とオーブン庫内が直接擦れなくなる。したがって、角皿として強度や変形を考慮した必要な板厚を確保しつつ、角皿とオーブン庫内の擦り傷を軽減することが可能になる。
【００２７】
請求項７の発明によれば、角皿をオーブン庫内に出し入れする際に、オーブン庫内にスペーサが接触して、角皿の一側や他側が直接触れないようにすることで、角皿の一側や他側とオーブン庫内の擦り傷を軽減することが可能になる。また、角皿の一側と他側にスペーサがあるため、オーブン庫内に角皿を挿入しやすくすることができる。
【００２８】
請求項８の発明によれば、角皿を斜めにしてオーブン庫内に挿入した場合でも、角皿がスペーサよりも先にオーブン庫内に接触するのを防止できる。また、角皿がオーブン庫内の奥側に接触するのも防止でき、角皿とオーブン庫内の擦り傷をさらに軽減することが可能になる。
【００２９】
請求項９の発明によれば、角皿をオーブン庫内に挿入する際の滑りを良くすることで、擦り傷をさらに軽減し、角皿のオーブン庫内への挿入を容易にすることができる。
【図面の簡単な説明】
【００３０】
【図１】本発明の加熱調理器をオーブンレンジに適用した場合の外観を示す正面図である。
【図２】同上、オーブンレンジの主にオーブン機能に係る内部構造を示す概略図である。
【図３】同上、扉を取り除いた状態の本体を正面から見た図である。
【図４】同上、扉を開けた状態のオーブンレンジの外観をあらわす斜視図である。
【図５】同上、角皿にスペーサを装着した棚板ユニットの平面図である。
【図６】同上、角皿にスペーサを装着した別な棚板ユニットの平面図である。
【図７】同上、オーブン機能に関係する要部の回路図である。
【図８】従来のオーブンレンジにおけるオーブン動作を開始してからのオーブン庫内の温度変化を示すグラフである。
【図９】本実施例のオーブンレンジにおけるオーブン動作を開始してからのオーブン庫内の温度変化を示すグラフである。
【図１０】同上、残時間補正手段の一例として、入力電力の値に対する動作時間の関係を示すグラフである。
【図１１】同上、残時間補正手段の第１変形例として、入力電力の値に対する動作時間の関係を示すグラフである。
【図１２】同上、残時間補正手段の第２変形例として、入力電力の値に対する動作時間の関係を示すグラフである。
【発明を実施するための形態】
【００３１】
以下、本発明の加熱調理器における好ましい実施例について、添付図面を参照しながら説明する。
【００３２】
図１は、加熱調理器であるオーブンレンジの外観図である。矩形箱状に形成される本体１の内部には、被加熱物を収納して加熱調理する加熱室としてのオーブン庫２が形成される。このオーブン庫２は、基本的に矩形箱状の庫内を形成して、左右方向に幅広とし、その大きな前面開口を開閉するための扉３が設けられる。従って、扉３は本体１の前面のほぼ全体を覆うように設けられ、その下端部が回動自在に軸支される。
【００３３】
扉３の上部には、扉３を開閉するときに手をかける開閉操作用のハンドル４を備えており、扉３の下部には、表示や操作のための操作パネル部５を備えている。操作パネル部５は、調理の設定内容や進行状況などを表示する表示手段６の他に、操作手段７として、調理に関する加熱条件を設定するための第１加熱条件設定手段８および第２加熱条件設定手段９や、加熱の開始を指示する加熱開始指示手段１０や、設定を取消したり調理を中止したりするための取消指示手段１１を備えて構成される。操作パネル部５の後側には、図示しないが、表示手段６や操作手段７などの制御を行なうために、マイコンを搭載した操作パネルＰＣ（印刷回路）板（図示せず）が配置される。
【００３４】
第１加熱条件設定手段８は、電子式のタッチキーであり、調理の時間や温度の設定が不要な自動調理のための調理メニューの選択を行なう「のみもの」キーや「ゆで物」キーの他に、調理の時間や温度または出力の設定が必要な手動調理の選択を行なう「レンジ」キーや、「オーブン」キーや、「スチーム」キーからなり、これらの複数の押釦式キーを並設して構成される。また第２加熱条件設定手段９は、手動調理における調理の時間や温度を設定する他に、自動調理において「のみもの」や「ゆで物」以外の調理メニューを選択するために、回転を検知するエンコーダで構成される回動自在なダイヤルである。加熱開始指示手段１０は、第１加熱条件設定手段８や第２加熱条件設定手段９で加熱条件を設定した後に、オーブン庫２内の被加熱物に対する加熱を開始するためのキーで、取消指示手段１１は、加熱条件の取消しや加熱調理を中止するためのキーである。これらの加熱開始指示手段１０や取消指示手段１１は、メカ式のキー（タクタイルスイッチ）である。
【００３５】
表示手段６は、例えば調理メニューの番号や、温度や、時間や、出力などを表示する液晶表示手段１４と、調理の進行状況に応じて点滅や点灯表示するＬＥＤ表示手段１５とにより構成される。ここでのＬＥＤ表示手段１５は、図示しない光受信部を備えた本体１とは別な外部装置との間で光通信を行なう光表示器として、操作パネル部５の適所に配設される。
【００３６】
図２は、オーブンレンジの主にオーブン機能に関係する内部構造を示した図である。同図において、本体１の内部には、オーブン庫２の後方に位置して、熱風を発生する熱風ファンユニット２１が設けられる。この熱風ファンユニット２１は、オーブン庫２内の被加熱物を加熱する加熱ユニットとして、オーブン庫２の奥面を形成する奥壁２２の後方に配置され、空気を加熱する熱風ヒータ２３と、その加熱された空気をオーブン庫２内に送るための熱風ファン２４と、熱風ファン２４を回転させるための熱風モータ２５とを主な構成要素にしている。熱風ファン２４は、軸方向に取り入れた空気を、回転時の遠心力によって、軸方向と直角な放射方向に吐き出すいわゆる遠心ファンとして設けられており、管状の熱風ヒータ２３は熱風ファン２４の放射方向を取り囲んで配置される。発熱部でもある熱風ヒータ２３は、例えばシーズヒータ、マイカヒータ、石英管ヒータやハロゲンヒータなどを用いる。また、オーブン庫２の下部には、オーブンレンジに組み込まれた各負荷の動作を制御するための制御手段２８が配設される。
【００３７】
図３は、扉３を取り外した状態の本体１を正面から見た図である。同図において、奥壁２２には吸入口２９や排出口３０が形成され、オーブン庫２と熱風ファンユニット２１の内部空間との間で、空気（熱風）の流れを可能にしている。特に本実施例では、制御手段２８からのモータ駆動信号を受けて、熱風モータ２５に駆動電圧が印加され、熱風ファンユニット２１の内部空間で熱風ファン２４が回転すると、オーブン庫２の奥側の中心部分に位置する吸入口２９から、熱風ファン２４に向けて空気が吸い込まれ、この空気が熱風ファンユニット２１の内部空間で通電した熱風ヒータ２３を通過することで加熱される。そして、加熱された空気は吸入口２９の周囲に配置された複数の排出口３０から排出され、オーブン庫２内の全体を循環して、そこに収納された被加熱物を加熱調理する構成となっている。
【００３８】
図４は、扉３を開けた状態のオーブンレンジの外観をあらわす斜視図である。同図において、扉３を開けた本体１を正面から見て、オーブン庫２の左右内面をなす左側壁と右側壁には、本体１の前後方向に沿って左右一対の突出した棚支え３１が上下２段に設けられている。また、３２は被加熱物を載置するために、外形が矩形で浅皿状の角皿であり、オーブン庫２内で左右の棚支え３１に角皿３２が一枚ずつ配置できるようになっている。したがって本実施例では、オーブン庫２内に角皿３２が上下２段に配置され、オーブン庫２内がそれらの角皿３２により、上中下の３段の空間に区分された状態となる。なお、棚支え３１や角皿３２の段数は２段に限定されない。
【００３９】
図５は、上記角皿３２にスペーサ３３を装着した棚板ユニットの一例を示している。角皿３２は、被加熱物の載置面を形成する平板状の基部３５と、基部３５の周辺から外側に突出するフランジ状の枠部３６とからなり、例えば基材となる金属板の全面に、汚れ付着防止のためのコーティング層を被覆して構成される。また、このようなコーティング層は、オーブン庫２の内面全体にも被覆形成される。角皿３２の一側である左側と、他側である右側には、それぞれ同形状の矩形のスペーサ３３が装着される。
【００４０】
各スペーサ３３は、例えばＰＴＦＥ（テフロン：登録商標）などの耐熱性や耐摩擦性の高い樹脂で形成され、角皿３２をオーブン庫２内に出し入れする際に棚支え３１と接触して、角皿３２の枠部３６が棚支え３１と接触しないように設けられる。また、これらのスペーサ３３は、枠部３６の短手方向の中央に配置され、オーブン庫２内の左側壁と右側壁に対向して、角皿３２の左右端面よりもそれぞれ外方に突出した一つの第１凸部３７が形成される。第１凸部３７は、オーブン庫２に対して角皿３２が左右のどちらかに偏った位置から挿入すると、その挿入の途中でオーブン庫２内の左側壁や右側壁に接触するようになっており、各スペーサ３２がいわば角皿３２を正しい挿入方向に修正するガイドとしての役目を果たしている。
【００４１】
図６は、角皿３２にスペーサ３３を装着した別な棚板ユニットの一例を示している。角皿３２の構成は図５に示すものと共通しているが、ここでは角皿３２の四隅に、それぞれ同形状の矩形のスペーサ３３が装着される。
【００４２】
各スペーサ３３は、図５に示すものと同じ材質で、角皿３２の左右端面よりもそれぞれ外方に突出した前後一対の第１凸部３７に加えて、角皿３２の前後端面よりもそれぞれ外方に突出した左右一対の第２凸部３８をさらに備える。これにより、角皿３２を斜めにしてオーブン庫２内に挿入した場合でも、その挿入の直後からオーブン庫２内の左側壁や右側壁に第１凸部３７が接触して、スペーサ３３がいわば角皿３２を正しい挿入方向に修正するガイドとしての役目を果たす。
【００４３】
また、本実施例の角皿３２は、オーブン庫２内に前後逆にして出し入れすることができる形状になっているが、角皿３２の前面または後面のいずれをオーブン庫２の開口に向けて挿入する場合でも、オーブン庫２の奥面に第２凸部３８が先に接触して、角皿３２の前面や後面が接触しないように、角皿３２の後面側だけでなく、角皿３２の前面側にもスペーサ３３を設けている。なお図６では、角皿３２の四隅にのみスペーサ３３を設けているが、図５に示す位置にスペーサ３３を追加してもよい。
【００４４】
図７は、主にオーブン機能に関係する要部の回路図である。同図において、４１は商用電源のコンセント（図示せず）に着脱可能な電源プラグ付きの電源コード、４２は電源コード４１の基端に接続する入力フィルタ回路である。ここでは、商用電源からのＡＣ１００Ｖの交流電力（周波数：５０／６０Ｈｚ）が、電源コード４１を通して入力フィルタ回路４２に印加され、ノイズ成分を除去した交流電力がオーブンレンジの入力電力として、入力ライン４３Ａ，４３Ｂから本体１の各部に供給される。
【００４５】
オーブンレンジで使用する電流値を検出する電流検出器として、本実施例では入力ライン４３ＡにカレントトランスＣＴの一次巻線が挿入接続される。このカレントトランスＣＴの二次巻線には、４個のダイオードＤ１，Ｄ２，Ｄ３，Ｄ４をブリッジ接続してなる全波整流回路４４が接続され、全波整流回路４４の出力端には、抵抗Ｒ１，Ｒ２，Ｒ３と、ダイオードＤ５と、コンデンサＣ１とからなる電流検出信号生成回路４５が接続され、さらに電流検出信号生成回路４５の出力端には、制御手段２８に相当するマイコン（マイクロコンピュータ）５１のＣＴ入力端子が接続される。ここでは、入力フィルタ回路４２からの入力電流に比例して、カレントトランスＣＴの二次巻線を流れる電流を、全波整流回路４４で整流平滑して電流検出信号生成回路４５に送り出すことで、入力電流の値に応じた電圧レベルを有する電流検出信号が、電流検出信号生成回路４５からマイコン５１のＣＴ入力端子に取り込まれるようになっている。
【００４６】
一方、入力ライン４３Ａ，４３Ｂの両端間には、オーブンレンジで使用する電圧値を検出すると共に、入力フィルタ回路４２からの入力電圧を降圧するために、トランスＴＲの一次巻線が接続される。このトランスＴＲの二次巻線には、４個のダイオードＤ６，Ｄ７，Ｄ８，Ｄ９をブリッジ接続してなる全波整流回路５２と、４個のダイオードＤ７，Ｄ１０，Ｄ９，Ｄ１１をブリッジ接続してなる別な全波整流回路５３がそれぞれ接続され、全波整流回路５２の出力端には、オーブンレンジの各部に動作電圧として所定の直流電圧（例えばＤＣ５Ｖ）を生成する定電圧回路５５が接続され、定電圧回路５５の出力端には、マイコン５１の電源端子ＶＤＤ，ＶＳＳがそれぞれ接続される。これにより、定電圧回路５５からマイコン５１には、接地された電源端子ＶＳＳを基準として、別な電源端子ＶＤＤに動作電圧が供給される。この動作電圧は、前記電流検出信号生成回路４５の他に、後述する電圧検出信号生成回路５６やリセット信号生成回路５７にも供給される。
【００４７】
また、全波整流回路５３の出力端には、抵抗Ｒ４，Ｒ５，Ｒ６，Ｒ７と、ダイオードＤ１２と、コンデンサＣ２とからなる電圧検出信号生成回路５６が接続され、電圧検出信号生成回路５６の出力端には、マイコン５１の電圧検知用端子が接続される。ここでは、入力フィルタ回路４２からの入力電圧に比例して、トランスＴＲの二次巻線に発生した誘起電圧を、全波整流回路５３で整流平滑して電圧検出信号生成回路５６に送り出すことで、入力電圧の値に応じた電圧レベルを有する電圧検出信号が、電圧検出信号生成回路５６からマイコン５１の電圧検知用端子に取り込まれるようになっている。
【００４８】
その他、マイコン５１のリセット端子には、定電圧回路５５からの動作電圧を受けてリセット信号を生成するために、抵抗Ｒ８と、ダイオードＤ１３と、コンデンサＣ３とからなるリセット信号生成回路５７が接続される。さらに、入力ライン４３Ａ，４３Ｂには、熱風ヒータ２３とリレー５９の接点とによる直列回路が接続され、このリレー５９のコイルにマイコン５１のヒータ駆動端子からリレー制御信号が与えられることにより、リレー５９の接点が開閉して、熱風ヒータ２３が通断電制御される構成となっている。
【００４９】
マイコン５１は、加熱開始指示手段１０からの操作信号を受けてオーブン動作が開始して、ヒータ駆動端子からのリレー制御信号により熱風ヒータ２３を通電した状態で、ＣＴ入力端子に発生する電流検出信号と、電圧検知端子に発生する電圧検出信号から、所定時間後における電圧値と電流値をそれぞれ取得して、製品の状態を判断し、その取得した電流値と電圧値から、オーブン庫２内の温度が目標温度に到達すると予測される動作時間を計算して、現時点からのオーブン動作の残り時間を補正算出する残時間補正手段６１を備えている。図７に示す回路図では、オーブンレンジに印加する入力電流値と入力電圧値をそれぞれ取得できる構成になっているが、電流値の取得が構成上困難な場合は、残時間補正手段６１が電圧値のみを取得して、オーブン動作の残り時間を補正算出してもよいし、また電圧値の取得が構成上困難な場合は、残時間補正手段６１が電流値のみを取得して、オーブン動作の残り時間を補正算出してもよい。何れにせよマイコン５１は、オーブン動作を開始してから、少なくとも残時間補正手段６１で算出された動作時間が経過するまでは、熱風ヒータ２３を連続通電すると共に、熱風ファン２４が所定の回転数で回転するように熱風モータ２５の通電を制御して、被加熱物を収容したオーブン庫２内を目標温度にまで上昇させる加熱制御手段としての機能を備えている。
【００５０】
次に、上記構成の作用について、特にオーブン調理に関する動作を説明する。なお、本実施例のオーブンレンジは、以下説明するオーブン調理とは別に、マイクロ波によってオーブン庫２内の被加熱物を加熱するレンジ調理機能も具備するが、発明とは直接関係しないため、その動作説明は省略する。
【００５１】
オーブン調理を行なう場合、先ず準備段階として、予め調理前の被加熱物を基部３５上に載置した角皿３２を、扉３を開けた状態のオーブン庫２の全面開口から挿入する。この挿入時に、オーブン庫２内に形成した棚支え３１には、角皿３２が直接触れることはなく、代わりに樹脂製のスペーサ３３が棚支え３１に載るように接触する。そのため、角皿３２の板厚をわざわざ薄くして、軽量化を図らなくても、角皿３２として必要な板厚を確保しながら、角皿３２がオーブン庫２内に触れることに起因する擦り傷を軽減できる。さらに、ここでのスペーサ３３は、角皿３２の表面を形成するコーティング層よりも摩擦係数が低く、滑り性が良いため、オーブン庫内の棚支え３１に対する擦り傷をさらに軽減しつつ、角皿３２のオーブン庫２内への挿入を容易にすることができる。
【００５２】
また、特に図５に示すような角皿３２では、角皿３２をオーブン庫２内に挿入する際に、角皿３２の左右両側に装着したスペーサ３３がオーブン庫２内に接触するので、角皿３２の特に左右端面はオーブン庫２内に直接触れないようにすることができる。これは、角皿３２をオーブン庫２内から取り出すときにも同じことが言え、角皿３２をオーブン庫２内に出し入れする際に、角皿３２の左右端面とオーブン庫２内の擦り傷を軽減できる。
【００５３】
しかも、オーブン庫２に対して角皿３２を左右のどちらかに偏った位置から挿入すると、その挿入の途中でスペーサ３３の第１凸部３７がオーブン庫２内の左側壁または右側壁に接触し、そこから角皿３２は正しい方向に修正して挿入される。したがって、ここでのスペーサ３３は、特に第１凸部３７が角皿３２を正しい方向に挿入するガイドとして機能し、角皿３２をオーブン庫２内にスムーズに挿入させることが可能になる。
【００５４】
また、別の図６に示すような角皿３２では、角皿３２をオーブン庫２内に出し入れする際に、角皿３２の四隅に装着したスペーサ３３がオーブン庫２内に接触して、角皿３２の左右端面のみならず、角皿３２の前後端面もオーブン庫２内に直接触れないようにすることができる。これは、角皿３２をオーブン庫２内から取り出すときにも同じことが言え、角皿３２をオーブン庫２内に出し入れする際に、角皿３２の左右端面とオーブン庫２内の擦り傷を軽減できる。
【００５５】
しかも、図６ではスペーサ３３を角皿３２の四隅に設けている関係で、オーブン庫２に対して角皿３２を任意の方向から斜めにして挿入すると、その挿入の直後からスペーサ３３の第１凸部３７がオーブン庫２内の左側壁または右側壁に接触し、そこから角皿３２は正しい方向に修正して挿入される。したがって、ここでのスペーサ３３は、特に第１凸部３７が角皿３２を正しい方向に挿入するガイドとして機能し、角皿３２をオーブン庫２内にスムーズに挿入させることが可能になる。
【００５６】
こうして、被加熱物を載せた角皿３２をオーブン庫２内に挿入し、扉３を閉じた調理前の切状態から、第１加熱条件設定手段８の「オーブン」キーを押動操作し、次に第２加熱条件設定手段９をダイヤル操作すると、オーブン調理の時間や温度が手動で設定される。その後、加熱開始指示手段１０を押動操作して、加熱開始を指示すると、マイコン５１からのモータ制御信号により、熱風ファン２４が所望の回転数で回転駆動するように、熱風モータ２５の入力を制御すると共に、オーブン庫２内若しくは被加熱物が所望の温度となるように、熱風ヒータ２３の入力を制御して、オーブン動作を開始させる。
【００５７】
なお、上記一連の手順で、例えば「オーブン」キーを２回押動操作して、予熱なしにオーブン調理を行なう場合には、その「オーブン」キーを操作する前に、被加熱物である食品をオーブン庫２内に入れておく。これに対して、例えば「オーブン」キーを１回押動操作して、予熱ありでオーブン調理を行なう場合は、加熱開始指示手段１０の押動操作後、オーブン庫２内の予熱の終了が図示しないブザーなどで鳴動報知された後に、被加熱物である食品をオーブン庫２内に入れる。予熱の有るなしに拘らず、オーブン庫２内に食品を入れた状態で、熱風ファン２４が回転することで、オーブン庫２の内部から吸入口２９を通して熱風ファンユニット２１内に吸引された空気が、熱風ファン２４の遠心力によって放射方向に吹き出し、熱風ファン２４の略全周を取り囲む発熱した熱風ヒータ２３に万遍なく当たって、オーブン庫２と隔離された熱風ファンユニット２１内で熱風が生成される。熱風ヒータ２３に当たった熱風は、熱風ヒータ２３に対向して配置された複数の排出口３０を通して排出され、オーブン庫２内の全体を循環して、そこに収納された食品を加熱調理する。
【００５８】
図８は、従来のオーブンレンジにおけるオーブン動作を開始してからのオーブン庫２内の温度変化をグラフで示したものである。前述したように、従来のオーブンレンジは、オーブン動作時間が一定に設定されている。そのため、熱風ヒータ２３への実際の入力電圧や、熱風ヒータ２３の実際の入力電力がセンター値である「電圧、ヒータ  センター値」の場合には、設定した動作時間である例えば３２分に達した時点で、オーブン庫２内の温度である「庫内温度」も、目標となる最高温度である例えば３５０℃に到達するが、熱風ヒータ２３の実際の入力電力がセンター値よりも高い「電圧、ヒータ  高め」の場合に、オーブン庫２内の温度は動作時間に達した時点で３５０℃を超えて上がり過ぎてしまい、部品温度の上昇が問題となる。逆に、熱風ヒータ２３への実際の入力電圧や、熱風ヒータ２３の実際の入力電力がセンター値よりも低い「電圧、ヒータ  低め」の場合に、オーブン庫２内の温度は動作時間に達しても３５０℃に到達できず、調理性能を満足できない。
【００５９】
これに対して図９は、本実施例のオーブンレンジにおけるオーブン動作を開始してからのオーブン庫２内の温度変化をグラフで示している。本実施例のマイコン５１は、加熱開始指示手段１０からの操作信号を受けてオーブン動作が開始すると、ヒータ駆動端子からのヒータ制御信号により、リレー５９の接点を閉状態にして熱風ヒータ２３を連続通電すると共に、熱風ファン２４が所定の回転数で回転するように熱風モータ２５の通電を制御する。そして、オーブン動作の開始から所定の２０分が経過すると、残時間補正手段６１は図９に示す「動作時間判定タイミング」の時点で、ＣＴ入力端子に発生する電流検出信号と、電圧検知端子に発生する電圧検出信号から、所定時間後における電圧値と電流値をそれぞれ取得して、オーブン庫２内が目標の最高温度である３５０℃に到達すると予測される動作時間を算出する。なお、オーブン動作初期は熱風ヒータ２３の電力が不安定なため、電圧値と電流値の取得は、熱風ヒータ２３の電力が安定する時間（１０分以上）とするのが望ましい。
【００６０】
具体的には、熱風ヒータ２３の電力センター値が１４１０Ｗ、動作時間が３２分、取得した電圧値がＶ、取得した電流値がＩとすると、残時間補正手段６１は次の数１の式で、補正後のオーブンの動作時間ｔ（単位：ｈ）を算出する。
【００６１】
【数１】
2015203543.tif 000003
【００６２】
上記数１の関係を示したものが図１０である。同図において、横軸は取得した電圧値と電流値との積である入力電力の値（Ｖ×Ｉ）を示し、縦軸は上記数１で算出された動作時間ｔ（単位：分）である。数１では、取得した電圧値と電流値の積（Ｖ×Ｉ）に対して、動作時間ｔが反比例の関係にあるので、図１０に示す動作時間ｔのグラフは、厳密には曲線状になる。
【００６３】
再度図９に戻り説明すると、残時間補正手段６１は、最初に設定したオーブン調理の時間（例えば３２分）に対して、「動作時間判定タイミング」の時点で、オーブン庫２内が目標温度に到達すると予測される動作時間ｔを算出すると、そこからオーブン調理の時間ではなく、動作時間ｔになるまでの残り時間を補正算出し、その残り時間が経過するまで、引き続き熱風ヒータ２３を連続通電すると共に、熱風ファン２４が所定の回転数で回転するように熱風モータ２５の通電を制御する。
【００６４】
そして本実施例では、熱風ヒータ２３の実際の入力電力がセンター値よりも高い場合に、上記数１に基づく時間補正で、最初に設定したオーブン調理の時間よりも動作時間ｔが短くなり、オーブン動作が終了するまでの残り時間も短縮される。この場合にマイコン５１は、動作時間ｔが経過してオーブン庫２内が目標の３５０℃に到達した時点で、リレー５９の接点を開状態にして熱風ヒータ２３をオフにし、オーブン庫２内の温度を検出する庫内温度検出手段（図示せず）からの検出信号に基づき、オーブン庫２内が２５０℃となるように、熱風ヒータ２３や熱風モータ２５への制御動作に移行させる。したがって、オーブン庫２内の温度が動作時間ｔに達するまでのオーブン動作中に、最高温度である３５０℃を超えることはなく、その後も２５０℃の低い温度にオーブン庫２内を管理して、部品温度の上昇を抑えることができる。
【００６５】
また本実施例では、熱風ヒータ２３の実際の入力電力がセンター値よりも低い場合に、上記数１に基づく時間補正で、最初に設定したオーブン調理の時間よりも動作時間ｔが長くなり、オーブン動作が終了するまでの残り時間も延長される。これにより、オーブン庫２内を目標の３５０℃に到達させることが可能になり、オーブンレンジ本来の調理性能を満足できる。
【００６６】
さらにここでは、オーブン動作時における熱風ヒータ２３への入力電力と時間の積である入力電力量が一定となり、オーブンレンジとして調理性能を安定化させることができる効果も発揮される。
【００６７】
なお、オーブンレンジの構成上、マイコン５１による電流値の取得が不可能な場合には、電流値を使用せずに電圧値だけを取得して、補正した動作時間ｔを残時間補正手段６１で算出する。これは上記数１で、電流値Ｉを一定値（例えば１４Ａ）と固定することで、動作時間ｔを算出できる。また、マイコン５１による電圧値の取得が不可能な場合には、電圧値を使用せずに電流値だけを取得して、補正した動作時間ｔを残時間補正手段６１で算出する。これは上記数１で、電圧値Ｖを一定値（例えば１００Ｖ）と固定することで、動作時間ｔを算出できる。このように、電圧値や電流値だけを取得して、オーブン庫２内が目標温度に到達すると予測される動作時間ｔを算出する場合でも、上述したような種々の効果が発揮される。
【００６８】
次に、上述した残時間補正手段５１の変形例について説明する。図１１は、残時間補正手段５１の第１変形例として、熱風ヒータ２３の入力電力の値（Ｖ×Ｉ）と算出されたオーブンの動作時間ｔとの関係を示している。図９に示す残時間補正手段５１の例では、入力電力の値に応じて、オーブンの動作時間ｔを連続的にフレキシブルに変化させているが、図１１に示す残時間補正手段５１の第１変形例では、一乃至複数個所の閾値を設けて、入力電力の値が閾値を超えた場合に、オーブンの動作時間ｔを段階的に変化させている。
【００６９】
具体的に残時間補正手段５１は、「動作時間判定タイミング」の時点で、熱風ヒータ２３の入力電力の値が、センター値である１４１０Ｗと比較して明らかに低い第１の閾値である１３５０Ｗ未満になると、動作時間ｔを３２分から４１．５分に調整する。ここでは、熱風ヒータ２３の入力電力の値が１１００Ｗ以上で１３５０Ｗ未満の範囲にあるとき、動作時間ｔが一定の４１．５分に補正される。
【００７０】
逆に残時間補正手段５１は、「動作時間判定タイミング」の時点で、熱風ヒータ２３の入力電力の値が、センター値と比較して明らかに高い第２の閾値である１４６０Ｗを超えると、動作時間ｔを３２分から２６分に段階的に調整する。ここでは、熱風ヒータ２３の入力電力の値が１４６０Ｗを超えて１７５０Ｗ以下の範囲にあるとき、動作時間ｔが一定の２６分に補正される。
【００７１】
こうして、ＣＴ入力端子からの電流検出信号を元に取得した電流値や、電圧検知端子からの電圧検出信号を元に取得した電圧値から、熱風ヒータ２３の入力電力の値（Ｖ×Ｉ）を計算し、その値が第１の閾値や第２の閾値を超えて、明らかにセンター値と比較して高い場合や低い場合にのみ、動作時間ｔを段階的に調整することで、オーブン動作の残り時間を適切に補正できる。
【００７２】
図１２は、残時間補正手段５１の第２変形例として、熱風ヒータ２３の入力電力の値（Ｖ×Ｉ）と算出されたオーブンの動作時間ｔとの関係を示している。ここでの残時間補正手段５１は、図１１に示す第１変形例と同様に、熱風ヒータ２３の入力電力の値（Ｖ×Ｉ）が第１閾値や第２閾値を超える場合に、動作時間ｔを一定とする一方で、熱風ヒータ２３の入力電力の値（Ｖ×Ｉ）が第１閾値と第２閾値との間にある場合に、数１の式に基づいて動作時間ｔを算出する構成となっている。
【００７３】
具体的に残時間補正手段５１は、「動作時間判定タイミング」の時点で、熱風ヒータ２３の入力電力の値が、センター値である１４１０Ｗと比較して明らかに低い第１の閾値である１３５０Ｗ未満になると、動作時間ｔを一定の３４分に調整する。逆に残時間補正手段５１は、「動作時間判定タイミング」の時点で、熱風ヒータ２３の入力電力の値が、センター値と比較して明らかに高い第２の閾値である１６５０Ｗを超えると、動作時間ｔを一定の２６分に調整する。そのため残時間補正手段５１は、熱風ヒータ２３の入力電力値が第１の閾値や第２の閾値を超えた場合には、電圧異常や、電流異常や、加熱手段の異常が発生したと判断することができ、動作時間ｔを一定の値に制限することで、残時間補正手段５１を安全装置として動作させることが可能になる。
【００７４】
さらに残時間補正手段５１は、「動作時間判定タイミング」の時点で、熱風ヒータ２３の入力電力の値が、１３５０Ｗ以上で１６５０Ｗ以下の場合に、前述の数１に基づいて、オーブン庫２内が目標温度に到達すると予測される動作時間ｔを算出する。したがって、熱風ヒータ２３の入力電力の値が、正常な動作範囲である１３５０Ｗ以上で１６５０Ｗ以下の範囲内では、オーブン動作が終了するまでの残り時間を補正して、オーブン動作時における熱風ヒータ２３への入力電力量を一定にできる。
【００７５】
以上のように本実施例では、オーブン動作時に加熱手段である熱風ヒータ２３を制御して、オーブン庫２内の被加熱物を加熱調理する加熱調理器としてのオーブンレンジにおいて、オーブン動作が開始してから所定時間後に電圧値と電流値をそれぞれ取得し、その取得した電流値と電圧値から計算される動作時間ｔにより、オーブン動作の残り時間を補正算出する残時間補正手段６１を、制御手段としてのマイコン５１に備えている。
【００７６】
この場合、オーブン動作が開始してから所定時間後に取得した電圧値と電流値から、熱風ヒータ２３への入力電圧や熱風ヒータ２３の入力電力が低めの場合は、オーブン動作の残り時間を延長するように残時間補正手段５１が調整することで、オーブン庫２内を目標温度に到達させることが可能になる。また逆に、熱風ヒータ２３の入力電圧や熱風ヒータ２３の入力電力が高めの場合は、オーブン動作の残り時間を短縮するように残時間補正手段５１が調整することで、部品温度の上昇を抑えることが可能になる。さらに、オーブン動作時における熱風ヒータ２３への入力電力量が一定となり、調理性能を安定化させることができる。
【００７７】
また、上記電流値の取得が困難な場合には、オーブン動作が開始してから所定時間後の電圧値を取得し、その取得した電圧値から計算される動作時間ｔにより、オーブン動作の残り時間を補正算出するように、残時間補正手段５１を構成してもよい。
【００７８】
つまり、電流値の取得が構成上困難な場合であっても、オーブン動作が開始してから所定時間後に取得した電圧値から、熱風ヒータ２３への入力電圧が低めの場合は、オーブン動作の残り時間を延長するように残時間補正手段５１が調整することで、オーブン庫２内を設定温度に到達させることが可能になる。また逆に、熱風ヒータ２３への入力電圧が高めの場合は、オーブン動作の残り時間を短縮するように残時間補正手段５１が調整することで、部品温度の上昇を抑えることが可能になる。そしてこの場合も、オーブン動作時における熱風ヒータ２３への入力電力量が一定となり、調理性能を安定化させることができる。
【００７９】
代わりに、上記電圧値の取得が困難な場合には、オーブン動作が開始してから所定時間後の電流値を取得し、その取得した値から計算される動作時間ｔにより、オーブン動作の残り時間を補正するように、残時間補正手段５１を構成してもよい。
【００８０】
つまり、電圧値の取得が構成上困難な場合であっても、オーブン動作が開始してから所定時間後に取得した電流値から、熱風ヒータ２３の入力電力が低めの場合は、オーブン動作の残り時間を延長するように残時間補正手段５１が調整することで、オーブン庫２内を設定温度に到達させることが可能になる。また逆に、熱風ヒータ２３の入力電力が高めの場合は、オーブン動作の残り時間を短縮するように残時間補正手段５１が調整することで、部品温度の上昇を抑えることが可能になる。そしてこの場合も、オーブン動作時における熱風ヒータ２３への入力電力量が一定となり、調理性能を安定化させることができる。
【００８１】
また本実施例では、オーブン動作が開始してから所定時間後に取得した電圧値や電流値から、例えば熱風ヒータ２３の入力電力値などの値を計算し、その値が閾値である第１の閾値や第２の閾値を超える場合にのみ、動作時間ｔを段階的に調整するように、残時間補正手段５１を構成している。
【００８２】
この場合、ＣＴ入力端子からの電流検出信号を元に取得した電流値や、電圧検知端子からの電圧検出信号を元に取得した電圧値から、熱風ヒータ２３の入力電力値などの値を計算し、その値が第１の閾値や第２の閾値を超えて、明らかにセンター値と比較して高い場合や低い場合にのみ、動作時間ｔを段階的に調整して、オーブン動作の残り時間を適切に補正することが可能になる。
【００８３】
また本実施例では、熱風ヒータ２３の入力電力値などの値が、第１の閾値や第２の閾値を超える場合に、動作時間ｔを一定とする一方で、その値が第１の閾値と第２の閾値との範囲内にある場合に、取得した電流値や電圧値から計算される動作時間ｔにより、オーブン動作の残り時間を補正するように、残時間補正手段５１を構成している。
【００８４】
この場合、ＣＴ入力端子からの電流検出信号を元に取得した電流値や、電圧検知端子からの電圧検出信号を元に取得した電圧値から、熱風ヒータ２３の入力電力値などの値を計算し、その値が第１の閾値や第２の閾値を超えた場合には、電圧異常や、電流異常や、加熱手段の異常が発生したと判断して、動作時間を一定の値に制限することで、残時間補正手段５１を安全装置として動作させることも可能になる。
【００８５】
また、本実施例では、オーブン庫２内に角皿３２を出し入れ可能に設けた加熱調理器としてのオーブンレンジにおいて、角皿３２よりも先にオーブン庫２内に当接可能なスペーサ３３を、角皿３２の適所に備えている。
【００８６】
この場合、角皿３２をオーブン庫２内に出し入れする際に、スペーサ３３がオーブン庫２内に接触することで、角皿３２とオーブン庫２内が直接擦れなくなる。したがって、角皿３２として強度や変形を考慮した必要な板厚を確保しつつ、角皿３２やオーブン庫２内の擦り傷を軽減することが可能になる。
【００８７】
また、特に図５に示す例では、スペーサ３３を角皿３２の一側である左側と、他側である右側にそれぞれ備えている。
【００８８】
この場合、角皿３２をオーブン庫２内に出し入れする際に、オーブン庫２内にスペーサ３３が接触して、角皿３２の左側端面や右側端面が直接触れないようにすることで、角皿３２の左側端面や右側端面とオーブン庫２内の擦り傷を軽減することが可能になる。また、角皿３２の左側と右側にスペーサ３３がそれぞれあるため、オーブン庫２内に角皿３２を挿入しやすくすることができる。
【００８９】
また、特に図６に示す例では、４個のスペーサ３３を角皿３２の隅部にそれぞれ備えている。
【００９０】
この場合、角皿３２を斜めにしてオーブン庫２内に挿入した場合でも、オーブン庫２内にスペーサ３３が接触して、角皿３２がスペーサ３３よりも先にオーブン２庫内に接触するのを防止できる。また、角皿３２がオーブン庫２内の奥側に接触するのも防止でき、角皿３２とオーブン庫２内の擦り傷をさらに軽減することが可能になる。
【００９１】
さらに、本実施例のスペーサ３３は樹脂製となっており、角皿３２をオーブン庫２内に挿入する際の滑りを良くすることで、擦り傷をさらに軽減し、角皿３２のオーブン２庫内への挿入を容易にすることができる。
【００９２】
本発明は上記実施例に限定されるものではなく、本発明の趣旨を逸脱しない範囲で種々の変更可能である。本実施例では、オーブンレンジへの入力電流値や入力電流値を取得する構成を示したが、例えば熱風ヒータ２３を流れる電流値を取得してもよく、製品の状態を判断できるならば、どのような電流値や電圧値を取得しても構わない。さらに、実施例中の数値はあくまでも一例に過ぎず、オーブンレンジの仕様などを考慮して適宜変更してよい。
【符号の説明】
【００９３】
２  オーブン庫（加熱室）
２３  熱風ヒータ（加熱手段）
３２  角皿
３３  スペーサ
６１  残時間補正手段
【図１】
2015203543.tif 000004
【図２】
2015203543.tif 000005
【図３】
2015203543.tif 000006
【図４】
2015203543.tif 000007
【図５】
2015203543.tif 000008
【図６】
2015203543.tif 000009
【図７】
2015203543.tif 000010
【図８】
2015203543.tif 000011
【図９】
2015203543.tif 000012
【図１０】
2015203543.tif 000013
【図１１】
2015203543.tif 000014
【図１２】
2015203543.tif 000015